(57)【要約】      （修正有）【課題】ペットボトルや棒状長尺物を２個所で保持して揺れが少なく携行できる携行品吊り下げ具を提供する。【解決手段】携行品を２個所で締めつけるストラップと、中空支持棒５と、該支持棒５を中央付近で吊持するフック付き吊持体７からなる。ストラップは二つ折りした紐体２と、二つ折りした２本の紐体２を胴体の貫通孔に挿通させた状態で紐体上を摺動し、駐止位置にて２本の紐体２の締め付け固定とその固定の解除が可能な第１、第２のコードストッパー３，４とにより構成する。紐体２は二つ折りした状態で中空の支持棒５に挿通し、支持棒５の両端から左右にはみ出した各２本の紐体部分に第１、第２のコードストッパー３，４を左右に別れて取り付ける。【選択図】図１
0003148567.tif 000002
【実用新案登録請求の範囲】
【請求項１】
携帯品を２個所で吊持して携行するための携行品吊り下げ具であって、
携帯品を２個所で締めつけ保持するためのストラップと、該ストラップを支持する中空の支持棒と、該支持棒をその中央付近で吊持するフック付き吊持体とからなり、
前記ストラップは二つ折りした紐体と、該二つ折りした２本の紐体を胴体に穿設した貫通孔に挿通させた状態で紐体上を摺動し、駐止位置にて２本の紐体の締め付け固定とその固定の解除が可能な第１、第２のコードストッパーとにより構成してあり、
前記紐体は二つ折りした状態で前記中空の支持棒に挿通され、該支持棒の両端から左右にはみ出した各２本の紐体部分に前記第１、第２のコードストッパーが左右に別れて取り付けてあることを特徴とする携行品吊り下げ具。
【請求項２】
請求項１に記載の携行品吊り下げ具において、前記中空の支持棒を長さ方向に２分割し、前記フック付き吊持体の下部にはリングを取り付け、該リングを２分割した支持棒間に挟んだ状態にて前記二つ折りした紐体をそれらにシリーズに挿通して支持棒間部の紐体をフック付き吊持体のリングにて吊持するようにしてあることを特徴とする携行品吊り下げ具。
【請求項３】
請求項１に記載の携行品吊り下げ具において、前記支持棒は両端部分を円筒状、中間部分を半円筒状又は半円柱状に形成してあり、前記フック付き吊持体は下端にコードストッパーを取り付けてその胴体の貫通孔に前記支持棒の半円筒状部又は半円柱状部を通る２本の紐体を挿通させて取り付けてあり、前記下端に取り付けたコードストッパーを摺動させることによりフック付き吊持体による吊持位置を調節できるようにしてあることを特徴とする携行品吊り下げ具。
【請求項４】
請求項３に記載の携行品吊り下げ具において、前記コードストッパーを取り付けたフック付き吊持体が前記と同じ取付け方式にて２式取り付けてあることを特徴とする携行品吊り下げ具。
【請求項５】
携帯品を２個所で吊持して携行するための携行品吊り下げ具であって、
携帯品を締めつけ保持する２式のストラップと、該２式のストラップを所定の間隔を隔てて吊持する支持棒と、該支持棒をその中央付近で吊持するフック付き吊持体とからなり、
前記支持棒はその両端に前記ストラップを構成する紐体を通すリングを備え、前記各ストラップは該リングに挿通した状態で二つ折りした紐体と、該二つ折りした２本の紐体を胴体に穿設した貫通孔に挿通させた状態で紐体上を摺動し、駐止位置にて２本の紐体の締め付け固定とその固定の解除が可能なコードストッパーとにより構成してあることを特徴とする携行品吊り下げ具。
【請求項６】
請求項５に記載の携行品吊り下げ具において、前記ストラップに代えて伸縮性材料で構成したリング状の紐体が取り付けてあることを特徴とする携行品吊り下げ具。
【考案の詳細な説明】
【技術分野】
【０００１】
本考案は、ペットボトルや棒状長尺物を２個所で締めつけ保持してリュック、鞄、ベルト等に吊り掛けて携行するのに好適な携行品吊り下げ具に関する。
【背景技術】
【０００２】
近年、ミネラルウォータ、お茶等の飲料水の入ったペットボトルを水筒代わりに持ち歩く人が増えている。ペットボトルは手で持って携行するには不便であり、鞄やリュック等に収納するのでは嵩張る上、必要時に手軽に飲むことができない。そのためペットボトルの首部分にストラップを取り付けて鞄やリュックに吊り下げたり、取り付けたストラップを手で持ったり肩に掛けたりして携帯されている。そうした用途に使用するストラップが各種提案されている（特許文献１〜４参照）。
【０００３】
しかし、これらのストラップはペットボトルの首部分を保持した状態で吊り下げ携行するものであるため、歩行による体重移動に伴ってペットボトルの下方部分が大きく前後、左右に揺れ動いて快適な歩行を妨げる問題がある。また、大きな地図、設計図面、パンフレット等は巻いた状態で、あるいは円筒容器に入れた状態で手に持って携行されるが、手で保持して携行するのは手が塞がって不便である。
【特許文献１】特開２０００−０００１１３号公報
【特許文献２】特開２０００−００６９７４号公報
【特許文献３】実用新案登録第３１３２５８２号
【特許文献４】実用新案登録第３１３７７０６号
【考案の開示】
【考案が解決しようとする課題】
【０００４】
本考案は、従来技術のこうした問題点を解決するためになされたもので、その課題は、ペットボトルや棒状長尺物を２個所で保持してリュック、鞄、ベルト等に吊り掛けて携行するのに好適な携行品吊り下げ具を提供することにある。
【課題を解決するための手段】
【０００５】
前記課題を解決するための請求項１に記載の考案は、携帯品を２個所で吊持して携行するための携行品吊り下げ具であって、携帯品を２個所で締めつけ保持するためのストラップと、該ストラップを支持する中空の支持棒と、該支持棒をその中央付近で吊持するフック付き吊持体とからなり、ストラップは二つ折りした紐体と、該二つ折りした２本の紐体を胴体に穿設した貫通孔に挿通させた状態で紐体上を摺動し、駐止位置にて２本の紐体の締め付け固定とその固定の解除が可能な第１、第２のコードストッパーとにより構成してあり、紐体は二つ折りした状態で中空の支持棒に挿通され、該支持棒の両端から左右にはみ出した各２本の紐体部分に第１、第２のコードストッパーが左右に別れて取り付けてあることを特徴とする携行品吊り下げ具である。
【０００６】
このような構成によれば、ペットボトルのような細長携帯品を２個所で締めつけ保持して水平、又は水平に近い状態で吊持できる。これによりフックとペットボトルの重心との距離、フックとペットボトルの下端との距離が共に短くなるため、歩行の際にペットボトルが大きく前後、左右に揺れ動くことがなくなって歩行に支障のでることが防止される。
【０００７】
また、請求項２に記載の考案は、請求項１に記載の携行品吊り下げ具において、前記中空の支持棒を長さ方向に２分割し、前記フック付き吊持体の下部にはリングを取り付け、該リングを２分割した支持棒間に挟んだ状態にて前記二つ折りした紐体をそれらにシリーズに挿通して支持棒間部の紐体をフック付き吊持体のリングにて吊持するようにしてあることを特徴とする携行品吊り下げ具である。
【０００８】
このような構成の場合も、ペットボトルのような細長携帯品を２個所で締めつけ保持して水平、又は水平に近い状態で吊持できる。これによりフックとペットボトルの重心との距離、フックとペットボトルの下端との距離が共に短くなるため、歩行の際にペットボトルが大きく前後、左右に揺れ動くことがなくなって歩行に支障のでることが防止される。
【０００９】
また、請求項３に記載の考案は、請求項１に記載の携行品吊り下げ具において、支持棒は両端部分を円筒状、中間部分を半円筒状又は半円柱状に形成してあり、フック付き吊持体は下端にコードストッパーを取り付けてその胴体の貫通孔に支持棒の半円筒状部又は半円柱状部を通る２本の紐体を挿通させて取り付けてあり、下端に取り付けたコードストッパーを摺動させることによりフック付き吊持体による吊持位置を調節できるようにしてあることを特徴とする携行品吊り下げ具である。
【００１０】
このような構成によれば請求項１に記載の発明と同様の効果を奏することに加え、フック付き吊持体に取り付けたコードストッパーを摺動させることによりフック付き吊持体による吊持位置を携行に最適な位置に調節することができる。
【００１１】
また、請求項４に記載の考案は、請求項３に記載の携行品吊り下げ具において、コードストッパーを取り付けたフック付き吊持体が請求項２に記載と同じ取付け方式にて２式取り付けてあることを特徴とする携行品吊り下げ具である。
【００１２】
このような構成とすれば請求項１に記載の発明と同様の効果を奏することに加え、２個のフック付き吊持体をリュック等に掛けることにより歩行中におけるペットボトル等の揺れが一層少なくなる効果を奏する。
【００１３】
また、請求項５に記載の考案は、携帯品を２個所で吊持して携行するための携行品吊り下げ具であって、携帯品を締めつけ保持する２式のストラップと、該２式のストラップを所定の間隔を隔てて吊持する支持棒と、該支持棒をその中央付近で吊持するフック付き吊持体とからなり、支持棒はその両端にストラップを構成する紐体を通すリングを備え、各ストラップは該リングに挿通した状態で二つ折りした紐体と、該二つ折りした２本の紐体を胴体に穿設した貫通孔に挿通させた状態で紐体上を摺動し、駐止位置にて２本の紐体の締め付け固定とその固定の解除が可能なコードストッパーとにより構成してあることを特徴とする携行品吊り下げ具である。
【００１４】
このような構成の場合も請求項１に記載の発明と同様の効果を奏する。
【００１５】
また、請求項６に記載の考案は、請求項５に記載の携行品吊り下げ具において、前記ストラップに代えて伸縮性材料で構成したリング状の紐体が取り付けてあることを特徴とする携行品吊り下げ具である。
【００１６】
このような構成の場合も請求項１に記載の発明と同様の効果を奏する。
【考案を実施するための最良の形態】
【００１７】
以下、本考案に係る携行品吊り下げ具の構成と使用方法を実施形態に分けて説明する。
（第１の実施形態）
図１は、第１の実施形態に係る携行品吊り下げ具１の外観図である。本吊り下げ具１は、図に示すように紐体２と第１、第２のコードストッパー３、４と支持棒５とフック６の付いた吊持体７を備えて構成されている。
【００１８】
支持棒５は、剛性を有する合成樹脂、金属、木材、又は固めの屈曲性を有する合成樹脂 、ゴム等の素材を用いて細長の円筒状に形成してある。紐体２は可撓性を有する天然繊維、合成繊維等の素材で製作されており、二つ折りして結び目１０を設けて細長リング状に形成してある。紐体２は樹脂等の素材で滑り止め加工を施してもよい。紐体２は二つ折りした状態で中空の支持棒５にその左右両端からはみ出した状態で挿通してある。支持棒５の両端からはみ出した結び目の無い側の紐体２には第１のコードストッパー３が、結び目１０の設けられた側の紐体２には第２のコードストッパー４が取り付けてある。二つ折りした紐体２と第１、第２のコードストッパー３、４とで携行品を２個所で締めつけるストラップを構成している。なお、結び目１０は第２のコードストッパー４が抜け落ちるのを防止するためのもので必ずしも必要としない。
【００１９】
フック付き吊持体７は、図１に示すようにフック６に短い鎖１１又は紐を取り付けたもので支持棒５の中央部付近に固定して支持棒５を吊り下げられるように構成してある。フック６はフック本体６ａと外れ止め片６ｂとから構成されている。外れ止め片６ｂはフック本体６ａの鉤部の湾曲方向と平行な面内で回動可能に取り付けられ、鉤部の開口を閉じる方向にばねで付勢されている。外れ止め片６ｂを鉤部の奥側へ回動させて開口を開かせ、リュック、鞄、ベルト等に設けられている引掛部に掛けるために使用する。
【００２０】
図２は、吊り下げ具１を使用してペットボトル１３を水平状態に吊持した例である。吊持する際は図１における支持棒５の左端からはみ出した結び目の無い側の紐体２の折り目側と第１のコードストッパー３との間の輪にペットボトル１３の首部を挿入し、第１のコードストッパー３を首部側に摺動させて輪を縮め、首部を締め付けた状態で固定させる。次に支持棒５の右端と第２のコードストッパー４との間の紐体２の輪にペットボトル１３の胴部を挿入する。挿入した状態で結び目１０部分を引っ張り、第１のコードストッパー３が支持棒５の左端に当接した状態にする。その状態で第２のコードストッパー４を摺動させて輪を縮め、胴部を締め付けた状態で固定させる。
【００２１】
本実施形態の携行品吊り下げ具１を用いれば、図２に示したようにペットボトル１３のような細長携帯品を２個所で締めつけて水平、又は水平に近い状態で吊持できる。これによりフック６とペットボトル１３の重心との距離、フック６とペットボトル１３の下端との距離が共に短くなり、歩行の際にペットボトルが大きく前後、左右に揺れ動くことがなくなって歩行に支障のでることが防止される。また、吊持する携行品はペットボトルに限らず、地図、設計図面、パンフレット等を巻いたもの、あるいはそれらを収納した円筒容器などの棒状長尺物に広く適用できる。
【００２２】
なお、紐体２の二つ折りした部分には、図３に示すように第１のコードストッパー３の抜けを防止するめに結び目１０ａを設けておくとよい。結び目１０ａの代わりに図４に示すようにビーズ、とんぼ玉のような孔のあいた玉を取り付けてもよい。
【００２３】
（第２の実施形態）
本実施形態は第１の実施形態に係る携行品吊り下げ具１の変形実施形態である。第１の実施形態に係る携行品吊り下げ具１では支持棒５の中央付近にフック６の付いた吊持体７を取付けた。これに対して本実施形態の携行品吊り下げ具１ａでは、図５に示すように支持棒５を長さ方向に二分割し、分割でできた支持棒５ａ、５ｂとの間部分を通る２本の紐体２にフック６の付いた吊持体７を取り付けている。吊持体７は、フック６に付けた短い鎖１１の下部にリング１１ａを取り付け、そのリング１１ａに２本の紐体２を通して取り付けてある。
【００２４】
図６は、その携行品吊り下げ具１ａを使用してペットボトル１３を水平に近い状態に吊持した例である。このようにして吊り下げれば、第１の実施形態の吊り下げ具１の場合と同様に、歩行の際にペットボトルが大きく前後、左右に揺れ動くことがなくなって歩行に支障のでることが防止される。
【００２５】
（第３の実施形態）
本実施形態は第１の実施形態に係る携行品吊り下げ具１の変形実施形態である。携行品吊り下げ具１ではフック付き吊持体７の支持棒５への取付け位置が固定であったのに対して、その取付け位置を調節できるようにしたものである。図７は、その携行品吊り下げ具１ｂの外観図である。
【００２６】
携行品吊り下げ具１ｂは、支持棒５の両端部分は円筒状にしたまま中間部分が半円筒状に形成してある。そして、その中間部分を通る２本の紐体２に第３のコードストッパー１５を取り付け、その第３のコードストッパー１５にフック付き吊持体７の下端が固定してある。支持棒５の中間部分は半円柱状でもよい。
【００２７】
このような構成によれば、第３のコードストッパー１５を摺動させて任意の個所に固定することによりフック付き吊持体７による吊持位置を携行に最適な位置に調節することができる。
【００２８】
（第４の実施形態）
図８は、第４の実施形態に係る携行品吊り下げ具１ｃの外観図である。本実施形態は、第３の実施形態に係る携行品吊り下げ具１ｂにおける第３のコードストッパー１５の付いたフック付き吊持体７を２個に増やしたものである。
【００２９】
図９は、この携行品吊り下げ具１ｃにてペットボトル１３を吊り下げた状態の図である。２個のフック付き吊持体７をリュック等に掛けることにより歩行中におけるペットボトル１３の揺れを一層少なくできる効果を奏する。
【００３０】
（第５の実施形態）
図１０は、第５の実施形態に係る携行品吊り下げ具１ｄの外観図である。本実施形態の携行品吊り下げ具１ｄは第１の実施形態に係る携行品吊り下げ具１のように１本の紐体で携行品の２個所を締めつけるのではなく、独立した２個のストラップ１６で携行品の２個所を締めつけ保持する構成にしてある。図に示すように中実の支持棒５の両端にリング１７を取付け、そのリング１７により独立したストラップ１６を吊り下げている。各ストラップ１６はリング１７に挿通した状態で二つ折りした紐体２と、その二つ折りした２本の紐体２を胴体に穿設した貫通孔に挿通させた状態で紐体２上を摺動し、駐止位置にて２本の紐体２の締め付け固定とその固定の解除が可能なコードストッパー１８とにより構成してある。
【００３１】
図１１は、その携行品吊り下げ具１ｄにてペットボトル１３を吊り下げた状態の図である。ペットボトル１３の首側のストラップ１６は、紐体２を首に２回巻き付けた状態でコードストッパー１８により締めつけると、より安定に保持できる。図１２は、巻物状にした長尺パンフレットを吊り下げた状態の図である。このように吊持すれば、手にもって携行する必要がなく便利である。フック付き吊持体７を２個に増やせば更に安定に吊持できる。
【００３２】
（第６の実施形態）
図１３は、第６の実施形態に係る携行品吊り下げ具１ｅの外観図である。この携行品吊り下げ具１ｅは図１０に示した第５の実施形態に係る携行品吊り下げ具１ｄの変形で、コードストッパー１８付きのストラップ１６の代わりに伸縮性材料で構成したリング状の紐体２１を取り付けたものである。
【００３３】
図１４は、携行品吊り下げ具１ｅにて巻物状にした長尺パンフレットを吊り下げた状態の図である。携行品が何時も同じ品で外周寸法がほぼ一定している場合の用途には簡易で便利である。フック付き吊持体７を２個に増やすと更に安定に吊持できる。
【図面の簡単な説明】
【００３４】
【図１】第１の実施形態に係る携行品吊り下げ具１の外観図である。
【図２】携行品吊り下げ具１にてペットボトルを吊持した状態図である。
【図３】第１の実施形態に係る携行品吊り下げ具１の変形実施形態である。
【図４】第１の実施形態に係る携行品吊り下げ具１の別の変形実施形態である。
【図５】第２の実施形態に係る携行品吊り下げ具１ａの外観図である。
【図６】携行品吊り下げ具１ａにてペットボトルを吊持した状態図である。
【図７】第３の実施形態に係る携行品吊り下げ具１ｂの外観図である。
【図８】第４の実施形態に係る携行品吊り下げ具１ｃの外観図である。
【図９】携行品吊り下げ具１ｃにてペットボトルを吊持した状態図である。
【図１０】第５の実施形態に係る携行品吊り下げ具１ｄの外観図である。
【図１１】携行品吊り下げ具１ｄにてペットボトルを吊持した状態図である。
【図１２】携行品吊り下げ具１ｄにて巻いたパンフレットを吊持した状態図である。
【図１３】第６の実施形態に係る携行品吊り下げ具１ｅの外観図である。
【図１４】携行品吊り下げ具１ｅにて巻いたパンフレットを吊持した状態図である。
【符号の説明】
【００３５】
図面中、１、１ａ、１ｂ、１ｃ、１ｄ、１ｅは携行品吊り下げ具、２は紐体、３は第１のコードストッパー、４は第２のコードストッパー、５は支持棒、７はフック付き吊持体、１１ａはリング、１３はペットボトル、１５はコードストッパー、１７はリング、２１はリング状の紐体を示す。
【図１】
0003148567.tif 000003
【図２】
0003148567.tif 000004
【図３】
0003148567.tif 000005
【図４】
0003148567.tif 000006
【図５】
0003148567.tif 000007
【図６】
0003148567.tif 000008
【図７】
0003148567.tif 000009
【図８】
0003148567.tif 000010
【図９】
0003148567.tif 000011
【図１０】
0003148567.tif 000012
【図１１】
0003148567.tif 000013
【図１２】
0003148567.tif 000014
【図１３】
0003148567.tif 000015
【図１４】
0003148567.tif 000016